(57)【要約】【課題】  金属屋根の振動を減少させて雨音などの騒音を防ぐ工法において、専用の装置を不要とし、また建築現場での作業の際、屋根上の風によって作業が行えないなどの問題がなく、また、外気温が特に低い場合に金属板の裏面に結露した水分が先に塗布された樹脂によって閉鎖され滞留させない工法を提供する。【解決手段】制振性ポリマーを成分とした弾性のある未硬化樹脂を吐出部を有する充填容器に入れて、横長の金属屋根材と屋根下地材の間に金属屋根材の上下幅方向に交互に繰り返すように折り返されて波型線状に吐出塗布し、その波型線状に塗布された樹脂の下端近くにおいて金属屋根材と屋根下地材の間に空間部を設けて、その屋根材を屋根下地材に貼り付けて硬化させ、制振効果を得る金属屋根の施工方法。【選択図】図１
2006002549.tif 000002
【特許請求の範囲】
【請求項１】
制振性ポリマーを成分とした弾性のある未硬化樹脂を吐出部を有する充填容器に入れて、横長の金属屋根材と屋根下地材の間に金属屋根材の上下端方向に交互に繰り返すように折り返されて波型線状に吐出塗布し、その波型線状に塗布された樹脂の下端近くにおいて金属屋根材と屋根下地材の間に通過空間部を設けて、その屋根材を屋根下地材に貼り付けて硬化させ、制振効果を得る金属屋根の施工方法
【請求項２】
制振性ポリマーを成分とした弾性のある未硬化樹脂を吐出部を有する充填容器に入れて、縦長の金属屋根材と屋根下地材の間に金属屋根材の左右端方向に交互に下方へ傾斜して繰り返すように折り返されて波型線状に吐出塗布し、その波型線状に塗布された樹脂の左右折り返し端と金属屋根材の左右端部との間に未充填の通過空間部を設けて、その屋根材を屋根下地材に貼り付けて硬化させ、制振効果を得る金属屋根の施工方法
【発明の詳細な説明】
【技術分野】
【０００１】  この発明は、金属屋根の振動を減少させて雨音などの騒音を防ぐ制振工法に関するものである。
【背景技術】
【０００２】  従来から住宅などの屋根に薄い金属板を用いる工法が広く普及している。しかしながら、降雨時などに雨粒が当たることによって、金属板が振動して騒音を発することが知られている。【０００３】  騒音を防ぐためには金属板の振動を抑えることがひとつの手段となる。そこで、金属板に貼り付けて振動を押さえる、樹脂をベースにしたシートやテープが開示されている。（特許文献１参照）【０００４】  これらのシートやテープは、一般には工場施設の内部で、金属板にあらかじめ貼り付けることが普通であり、また、シートやテープ自体も長いものになり、取り扱いが不便で、専用の自動貼り付け装置が必要となる場合が多い。また、小規模の建物が多い住宅の場合であっても、屋根に用いる金属板は防水の目的で、長さが１０ｍ前後の長尺のものが多く用いられ、従来開示されているような薄いシートやテープを風の吹きつける屋根上の工事現場で長尺の金属板に貼り付けることはかなりの困難を伴うものである。【０００５】  また本願出願人は金属板と屋根下地材との間に制振性ポリマーを成分とした弾性のある未硬化樹脂を吐出塗布する方法を出願している。【０００６】
【特許文献１】特開平１０−２３０５６４号公報
【発明の開示】
【発明が解決しようとする課題】
【０００７】  ところで、上記した従来のシートやテープを用いる方法には、住宅などの小規模の屋根材を用意する場合でも、専用の貼り付け装置が必要になったり、建築現場で貼り付けるためには多くの人手や、手間を要する上に、屋根上の風によって作業が行えないなどの問題がある。また本願出願人が出願している金属板と屋根下地材との間に制振性ポリマーを成分とした弾性のある未硬化樹脂を吐出塗布する方法によると、外気温が特に低い場合に金属板の裏面に結露した水分が先に塗布された樹脂によって閉鎖され滞留するという問題があった。
【課題を解決するための手段】
【０００８】  上記のような課題を解決するため、請求項１の発明は制振性ポリマーを成分とした弾性のある未硬化樹脂を吐出部を有する充填容器に入れて、横長の金属屋根材と屋根下地材の間に金属屋根材の上下端方向に交互に繰り返すように折り返されて波型線状に吐出塗布し、その波型線状に塗布された樹脂の下端近くにおいて金属屋根材と屋根下地材の間に通過空間部を設けて、その屋根材を屋根下地材に貼り付けて硬化させ、制振効果を得る金属屋根の施工方法である。【０００９】  請求項２の発明は制振性ポリマーを成分とした弾性のある未硬化樹脂を吐出部を有する充填容器に入れて、縦長の金属屋根材と屋根下地材の間に金属屋根材の左右端方向に交互に下方へ傾斜して繰り返すように折り返されて波型線状に吐出塗布し、その波型線状に塗布された樹脂の左右折り返し端と金属屋根材の左右端部との間に未充填の通過空間部を設けて、その屋根材を屋根下地材に貼り付けて硬化させ、制振効果を得る金属屋根の施工方法である。
【発明の効果】
【００１０】
【００１１】  上記のような、この発明の方法によると、大掛かりな装置を用いることなく、制振効果を有する金属屋根の施工ができる。【００１２】  また、建築現場の屋根上で、「カートリッジガン」などと呼称される汎用の簡便な吐出ツールを用いることで、制振効果を有する金属屋根の施工ができる。【００１３】  また、建築現場の屋根上で、多少の風が吹く環境下でも、制振効果を有する金属屋根の施工ができる。【００１４】  未硬化樹脂の塗布は金属屋根材の裏面の全面に均一の厚さで塗布することを選択することも可能であるが、本発明者はさまざまな実験から間隔をあけて「線状」に塗布することで、制振効果の低下が少ないことを見出し、この方法によれば未硬化樹脂の使用量を抑制することが可能となった。この発明は経済性においても優れている。【００１５】  金属屋根材と棟から軒先へ向かって傾斜した屋根下地材との間の下流側に部分的な通過空間を設けたので結露した水分が軒先方向に排出されて滞留するということがない。
【発明を実施するための最良の形態】
【００１６】  制振性ポリマーを成分とした弾性のある未硬化樹脂を吐出部を有する充填容器に入れて、横長の金属屋根材と屋根下地材の間に金属屋根材の上下端方向に交互に繰り返すように折り返されて波型線状に吐出塗布し、その波型線状に塗布された樹脂の下端近くにおいて金属屋根材と屋根下地材の間に空間部を設けて、その屋根材を屋根下地材に貼り付けて硬化させ、制振効果を得る金属屋根の施工方法である。
【実施例】
【００１７】  以下、この発明の実施例を図示に基づいて説明する【００１８】  図１は横長の金属屋根材１の裏面に、この発明の施工方法をおこなっている例を示し、充填容器２に入れた制振性ポリマーを成分とした弾性のある未硬化樹脂３を吐出塗布している状態を示している。「カートリッジガン」などと呼称される汎用の簡便な吐出ツールは図示していない。【００１９】  金属屋根材１の裏面に未硬化樹脂３を横長の屋根材１の上下端方向に交互に繰り返すように線状に吐出塗布し、上端近くで折り返すようにして、最初の線状に塗布された位置から間隔をあけて吐出塗布し、下端近くで未充填部を設けて折り返すようにして通過間隔ｓをあけながら波型線状に吐出塗布を繰り返し、屋根材の長さ方向に塗布している。このようにして屋根材１の長さ方向に塗布が完了した後、その屋根材を「ルーフィング」などと呼称されるような屋根下地材に貼り付ける金属屋根の施工方法である。【００２０】  横長の金属屋根材において、軒先側すなわち下端側を屋根下地材から大きく立ち上がるように「Ｌ字」状に折り曲げて屋根下地材との間の空間が大きくなるように設計して、未硬化樹脂３を連続して波型線状に塗布して屋根下地材に貼り付けると、線状に塗布した未硬化樹脂が結露の下流方向である軒先側すなわち下端側においてその大きな空間を充填することができないために未充填部が形成されて、屋根下地材との間に通過空間を確保することができる。この場合、屋根材の立ち上がり高さは線状に塗布する樹脂の直径を超える高さを選択することが要求されることは当然である。【００２１】  図２は縦長の金属屋根材１’を示し、未硬化樹脂３’を吐出部を有する充填容器２’に入れて、縦長の金属屋根材１’の裏面に金属屋根材の左右端方向に交互に下方に傾斜して繰り返すように折り返されて波型線状に吐出塗布し、その波型線状に塗布された樹脂の左右折り返し端と金属屋根材の左右端部との間に未充填の通過空間ｓ’を設けて、その屋根材を屋根下地材に貼り付けて硬化させ、制振効果を得る金属屋根の施工方法である。【００２２】  このようにして金属屋根材と屋根下地材との間は未硬化樹脂によって充填され弾性を保持ながら硬化する。雨粒などが金属屋根材に当たった際に金属屋根材内に発生する運動エネルギーの多くは樹脂と、これに接合する下地材が吸収し、雨音となる量が減少し制音効果を得ることができる。樹脂は間隔を設けて線状に塗布するために使用量は少なく、経済的な工事が可能となる。また、外気温が特に低い場合、金属板の裏面に生じた結露は下地材との間を下流方向すなわち傾斜した屋根の軒先方向に流れようとするが、横長の金属屋根材の場合は下端側に、縦長の金属屋根材の場合は傾斜した線状の樹脂の傾斜に沿った左右の下流側に未充填部を設けることで通過空間を確保しているので、図１、図２に点線矢印で示すように、水分はとどこおることがなく下方へ流れ、軒先部などから排出される。【００２３】  未硬化樹脂３は例えば、大気との反応で硬化する弾性のあるポリマーを主成分として、成分中に振動を抑制する高比重の細粉を含む樹脂を採用するなどすればよい。
【図面の簡単な説明】
【００２４】
【図１】横長金属屋根材に未硬化樹脂を塗布している状態を示す平面図
【図２】縦長金属屋根材に未硬化樹脂を塗布している状態を示す平面図
【符号の説明】
【００２５】１．    金属屋根材
２．    充填容器
３．    未硬化樹脂
ｓ．    通過空間
【図１】
2006002549.tif 000003
【図２】
2006002549.tif 000004